(57)【要約】【課題】様々な太さの長尺物をそれぞれ容易かつ適切に保持できるようにする。【解決手段】長尺物Ｒに押し当てられる座面１１を備えた隆起部１０を備えた座体１と、長尺物Ｒに掛け回される締め付け紐２と、締め付け紐２の通し部３０を備えた掛け回し状態の維持部材３と、コードロック４とを備えている。座体１の隆起部１０には、締め付け紐２の通し抜け穴１４が形成されている。座体１の通し抜け穴１４に通された締め付け紐２における座体１から引き出された一方側に維持部材３が備えられ、かつ、締め付け紐２における座体１から引き出された他方側にコードロック４が備えられている。【選択図】図１
2005059925.tif 000002
【特許請求の範囲】
【請求項１】
長尺物の外面に押し当てられる座面を備えた隆起部と、表面にこの隆起部を有し裏面を取り付け面とした板部とを備えた座体と、
長尺物に掛け回される締め付け紐と、
この締め付け紐の通し部を備えたこの締め付け紐の掛け回し状態の維持部材と、
筒状をなす雌部材と、この雌部材にこの雌部材の筒軸線に沿って移動可能な状態で一部を納めて組み合わされる雄部材と、この雄部材を雌部材内から抜け出させる向きに付勢させる付勢手段とを有すると共に、雌部材と雄部材とにそれぞれ締め付け紐の通し穴を備えたコードロックとを備えており、
前記座体の隆起部には、この隆起部の対向する側部にそれぞれ穴口を備えた前記締め付け紐の通し抜け穴が形成されており、この通し抜け穴に締め付け紐が通されていると共に、
このように座体の通し抜け穴に通された締め付け紐における座体から引き出された一方側に前記維持部材が備えられ、
かつ、この締め付け紐における座体から引き出された他方側に前記コードロックが備えられていることを特徴とする長尺物の保持装置。
【請求項２】
座体における板部が、取り付け対象物に縫着可能な材料により構成してあることを特徴とする請求項１記載の長尺物の保持装置。
【請求項３】
座体における板部に、薄肉部が形成されており、この薄肉部をもって取り付け対象物に対する縫着をなすようにしてあることを特徴とする請求項２記載の長尺物の保持装置。
【請求項４】
座体における隆起部の座面が、アール状の凹面として構成してあることを特徴とする請求項１から請求項３のいずれか１項に記載の長尺物の保持装置。
【請求項５】
維持部材がフック部を有しており、このフック部の内方が締め付け紐の通し部となっていることを特徴とする請求項１から請求項4のいずれか１項に記載の長尺物の保持装置。
【発明の詳細な説明】
【技術分野】
【０００１】
この発明は、各種の物品の外面などに取り付けられて、こうした各種の物品に長尺物を装着させるために用いられる保持装置の改良に関する。
【背景技術】
【０００２】
ピッケルをバックパックに取り外し可能に装着させる装置として、特許文献１に示されるものがある。（図６）
【０００３】
かかる装置は、一対の抱持片１００、１００と、この一対の抱持片１００、１００の下端間に亘るゴム紐１１０とを有している。一対の抱持片１００、１００の一方の上端には他方の抱持片１００のダルマ穴１００ａに入れ込み掛合されるフック部１００ｂが形成されている。ダルマ穴１００ａからフック部１００ｂを外すように抱持片を操作した後、ピッケルの柄２００を一対の抱持片間に入れ込み、この後、ダルマ穴１００ａにフック部１００ｂを入れ込ませるとゴム紐１１０の弾性によりダルマ穴１００ａの穴狭部分にフック部１００ｂが移動され、一対の抱持片１００、１００によってピッケルの柄２００が抱持される。
【０００４】
しかるに、かかる装置は、ピッケルの柄２００を抱持させるために、前記ダルマ穴１００ａからのフック部１００ｂの抜き出し操作およびこのダルマ穴１００ａへのフック部１００ｂの入れ込み操作をなすことを余儀なくされるものであった。また、その構造上、太さを異ならせる様々な長尺物のそれぞれについて適切な抱持をし得るものではなかった。
【特許文献１】米国特許第５４３５０４５号明細書
【発明の開示】
【発明が解決しようとする課題】
【０００５】
この発明が解決しようとする問題点は、この種の長尺物の保持装置において、様々な太さの長尺物をそれぞれ容易かつ適切に保持できるようにする点にある。
【課題を解決するための手段】
【０００６】
前記問題点を解決するために、この発明にあっては、長尺物の保持装置を以下の（１）〜（６）の構成を備えたものとした。
（１）長尺物の外面に押し当てられる座面を備えた隆起部と、表面にこの隆起部を有し裏面を取り付け面とした板部とを備えた座体と、
（２）長尺物に掛け回される締め付け紐と、
（３）この締め付け紐の通し部を備えたこの締め付け紐の掛け回し状態の維持部材と、
（４）筒状をなす雌部材と、この雌部材にこの雌部材の筒軸線に沿って移動可能な状態で一部を納めて組み合わされる雄部材と、この雄部材を雌部材内から抜け出させる向きに付勢させる付勢手段とを有すると共に、雌部材と雄部材とにそれぞれ締め付け紐の通し穴を備えたコードロックとを備えており、
（５）前記座体の隆起部には、この隆起部の対向する側部にそれぞれ穴口を備えた前記締め付け紐の通し抜け穴が形成されており、この通し抜け穴に締め付け紐が通されていると共に、
（６）このように座体の通し抜け穴に通された締め付け紐における座体から引き出された一方側に前記維持部材が備えられ、
かつ、この締め付け紐における座体から引き出された他方側に前記コードロックが備えられている。
【０００７】
かかる構成によれば、座体から引き出されている締め付け紐の他方側、つまり、コードロックの備え付けられた側にある締め付け紐の一部のうち、このコードロックの備え付け位置と座体との間にある箇所を維持部材の通し部に通しておくことによって、締め付け紐をループ状にすることができ、このループ状になった締め付け紐の内方に長尺物が入り込ませることができる。この状態から、コードロックの留め付けを解いてこのコードロックと維持部材との間にある締め付け紐の寸法を狭める向きにコードロックを移動させ、締め付け紐が長尺物を十分に締め付けるようになった位置でコードロックの留め付けを再びなすようにすることにより、かかる締め付け紐によって座体の座面に長尺物の外面の一部を押しつけさせることができ、これにより、保持装置を介してこの保持装置の備え付けられた物品に長尺物を装着させることができる。この装着状態は、コードロックの留め付けを再び解き、ループ状になった締め付け紐による長尺物の締め付けを緩める向きにこのコードロックを移動させることによりワンタッチで解くことができる。長尺物はかかる締め付け紐の締め付けによって保持されることから、太さが異なる長尺物をそれぞれ適切に保持させることができる。
【０００８】
前記座体における板部は、取り付け対象物に縫着可能な材料により構成しておくことができる。
【０００９】
また、このようにした場合には、前記座体における板部に、薄肉部を形成しておき、この薄肉部をもって取り付け対象物に対する縫着をなすようにしておくことができる。
【００１０】
このようにした場合、取り付け対象物に対し板部を縫着により容易かつ適切に止着させることでき、この止着によって取り付け対象物に対し座体を取り付けさせることができる。
【００１１】
また、かかる座体における板部に、薄肉部を形成させ、この薄肉部をもって取り付け対象物に対する縫着をなすようにしておけば、取り付け対象物に対し一層容易に板部を止着させることができ、この止着によって取り付け対象物に対し座体を取り付けさせることができる。
【００１２】
また、前記座体における隆起部の座面は、アール状の凹面として構成しておくこともできる。
【００１３】
このようにした場合、断面外郭形状を円形状とするような長尺物の一部に、隆起部の座面を、この長尺物の一部を包み込むようにして、接しさせることができ、座体によって長尺物を安定的に保持させることができる。
【００１４】
前記維持部材は、例えば、内方を締め付け紐の通し部とした環状部を有するものとして構成することができるが、この維持部材がフック部を有しており、このフック部の内方を締め付け紐の通し部とするようにしておくこともできる。
【００１５】
このようにした場合、座体から引き出されている締め付け紐の他方側、つまり、コードロックの備え付けられた側にある締め付け紐の一部のうち、このコードロックの備え付け位置と座体との間にある箇所を維持部材のフック部に引っかけることによって、締め付け紐をループ状にすることができ、このループ状になった締め付け紐の内方に長尺物が入り込んだ状態を容易に作り出すことができる。
【００１６】
また、このフック部からコードロックの備え付けられている側の締め付け紐の一部を抜け出させることにより、一層容易に保持装置によって一旦締め付けられて前記のように装着された長尺物を自由に利用できる状態に戻すことができる。
【発明の効果】
【００１７】
この発明にかかる長尺物の保持装置によれば、様々な太さの長尺物をそれぞれ容易かつ適切に保持することができる。
【発明を実施するための最良の形態】
【００１８】
以下、図１ないし図５に基づいて、この発明を実施するための最良の形態について説明する。
【００１９】
なお、ここで図１は、保持装置Ｈにおける締め付け紐２をループ状にした状態においてこのループの内方に長尺物Ｒを入れ込ませた状態を、図２は、図１の状態から締め付け紐２に備えられたコードロック４を移動させてこの締め付け紐２によって座体１の座面１１に長尺物Ｒを押しつけさせるようにしてこの長尺物Ｒを保持させた状態をそれぞれ示しており、また、図３はかかるコードロック４の留め付けを解いた状態を、図４は、締め付け紐２に留め付いた状態を、コードロック４を断面にして示している。また、図５は、座体１を断面にして示している。
【００２０】
この実施の形態にかかる長尺物Ｒの保持装置Ｈは、各種の物品の外面などに取り付けられて、この保持装置Ｈを介してこうした各種の物品に長尺物Ｒを装着させるために用いられるものである。
【００２１】
かかる長尺物Ｒとしては、典型的には、かさ、ステッキ、ピッケル、釣り竿などが予定される。これらを装着対象物として予定する場合には、かかる保持装置Ｈは、かばんや袋物などの外面に取り付けられて、かかるかばんなどにこうした長尺物Ｒを取り外し可能に装着させるために用いられる。
【００２２】
かかる保持装置Ｈは、
（１）座体１と、
（２）締め付け紐２と、
（３）維持部材３と、
（４）コードロック４と、
を備えている。
【００２３】
（座体１）
座体１は、長尺物Ｒの外面に押し当てられる座面１１を備えた隆起部１０と、表面にこの隆起部１０を有し裏面を取り付け面とした板部１５とを備えている。
【００２４】
かかる座体１における板部１５は、取り付け対象物Ｔに縫着可能な材料により構成しておくことができる。
【００２５】
このようにした場合、取り付け対象物Ｔに対し板部１５を縫着により容易かつ適切に止着させることでき、この止着によって取り付け対象物Ｔに対し座体１を取り付けさせることができる。こうした材料としては、典型的には、ゴムや軟質の合成樹脂などを利用することができる。
【００２６】
図示の例にあっては、座体１は、板部１５の表面に隆起部１０を一体に成形させるようにして、両者を同一の材料によって構成させている。
【００２７】
また、図示の例にあっては、かかる座体１における板部１５に、薄肉部１６が形成されており、この薄肉部１６をもって取り付け対象物Ｔに対する縫着をなすようにしてある。
【００２８】
具体的には、図示の例にあっては、隆起部１０の外縁と板部１５の外縁との間に、全周に亘って薄肉部１６が形成されている。そして、図示の例にあっては、かかる薄肉部１６に沿って縫着を施すことにより、取り付け対象物Ｔに対し座体１を止着するようにしてある。
【００２９】
これにより、図示の例にあっては、取り付け対象物Ｔに対し一層容易に板部１５を止着させることができ、この止着によって取り付け対象物Ｔに対し座体１を取り付けさせることができる。
【００３０】
また、図示の例にあっては、座体１における隆起部１０の座面１１が、アール状の凹面として構成してある。
【００３１】
具体的には、図示の例にあっては、板部１５は略方形のプレート状をなすように構成されている。一方、隆起部１０は、正面視の状態においてその外縁を略方形状をなすように構成されていると共に、四つの側部のうち、対向する一対の側部１２、１２を、板部１５の表面に接する側から隆起部１０の頂端に向けて斜め上りとするように構成させている。図示の例にあっては、かかる斜め上がりになった側部１２にそれぞれ、後述する通し抜け穴１４の穴口が開口されている。また、図示の例にあっては、かかる斜め上がりとなった両側部１２、１２の間に、両溝端をそれぞれ隆起部１０における斜め上がりとなっていない側部において側方に開放させた溝状をなす凹部１３が形成されている。そして、この凹部１３の底面と内壁面とによってアール状の凹面を形成させるようにしてあり、この凹部１３の底面と内壁面とが長尺物Ｒの外面に押し当てられる座面１１となるようにしてある。
【００３２】
これにより、図示の例にあっては、断面外郭形状を円形状とするような長尺物Ｒの一部に、隆起部１０の座面１１を、この長尺物Ｒの一部を包み込むようにして、接しさせることができ、座体１によって長尺物Ｒを安定的に保持させることができるようになっている。
【００３３】
また、図示の例にあっては、座体１の隆起部１０における前記斜め上がりとなっている側部１２の一方と他方との間に亘って、前記溝状をなす凹部１３の延設方向にほぼ直交する向きに延びる通し抜け穴１４が、この凹部１３の延設方向において間隔を開けて、二カ所設けられている。これにより、かかる座体１の隆起部１０に、この隆起部１０における対向する側部にそれぞれ穴口を備えた前記締め付け紐２の通し抜け穴１４が形成されている。
【００３４】
（締め付け紐２）
締め付け紐２は、長尺物Ｒに掛け回されるように構成されている。
【００３５】
かかる締め付け紐２としては、丸紐や、帯状をなす紐などを用いることができる。また、かかる締め付け紐２は、ゴムまたは軟質の合成樹脂から構成させることもできる。
【００３６】
図示の例にあっては、かかる締め付け紐２は、丸紐状をなすように構成されている。
【００３７】
そして、図示の例にあっては、座体１の隆起部１０に形成させた通し抜け穴１４の一方に締め付け紐２を通した後、引き出された締め付け紐２の一端を再びこの通し抜け穴１４の他方に通して引き出させて、座体１の隆起部１０の両側においてそれぞれ二本の締め付け紐２、２がこの隆起部１０から引き出されているようになっている。
【００３８】
図示の例ではまた、このように座体１から引き出されている締め付け紐２における両端部を内側に納めるようにしてこの両端部に端末カバー５が取り付けられており、これにより締め付け紐２は無端状を呈するようになっている。
【００３９】
そして、このように座体１から引き出されている締め付け紐２の一方側に前記維持部材３が備えられ、
かつ、この締め付け紐２における座体１から引き出された他方側に前記コードロック４が備えられている。
【００４０】
（維持部材３）
維持部材３は、前記締め付け紐２の通し部３０を備えており、この締め付け紐２の掛け回し状態を維持するようになっている。
【００４１】
図示の例にあっては、かかる維持部材３は、フック部３１を有しており、このフック部３１の内方を締め付け紐２の通し部３０とするように構成されている。
【００４２】
具体的には、図示の例にあっては、かかる維持部材３は、締め付け紐２の通し穴３４を備えた基部３３と、この基部３３から側方に突き出すと共に湾曲されてフック端３２をこの基部３３の側に向けたフック部３１とを備えている。
【００４３】
そして、この維持部材３のフック部３１のフック端３２と基部３３との間から締め付け紐２をフック部３１の内方に入れ込ませることができるようになっている。
【００４４】
これにより、図示の例にあっては、座体１から引き出されている締め付け紐２の他方側、つまり、コードロック４の備え付けられた側にある締め付け紐２の一部のうち、このコードロック４の備え付け位置と座体１との間にある箇所を維持部材３のフック部３１に引っかけることによって、締め付け紐２をループ状にすることができ、このループ状になった締め付け紐２の内方に長尺物Ｒが入り込んだ状態を容易に作り出すことができる。（図１）この状態から、後述するようにコードロック４の留め付けを解いてこのコードロック４と維持部材３との間にある締め付け紐２の寸法を狭める向きにコードロック４を移動させ、締め付け紐２が長尺物Ｒを十分に締め付けるようになった位置でコードロック４の留め付けを再びなすようにすることにより、かかる締め付け紐２によって座体１の座面１１に長尺物Ｒの外面の一部を押しつけさせることができ、これにより、保持装置Ｈを介してこの保持装置Ｈの備え付けられた物品に長尺物Ｒを装着させることができる。（図２）この装着状態は、コードロック４の留め付けを再び解き、ループ状になった締め付け紐２による長尺物Ｒの締め付けを緩める向きにこのコードロック４を移動させることによりワンタッチで解くことができる。長尺物Ｒはかかる締め付け紐２の締め付けによって保持されることから、長尺物Ｒの外径が異なってもそれぞれ適切に保持させることができる。
【００４５】
特に、図示の例では、かかる維持部材３がフック部３１を有していることから、このフック部３１からコードロック４の備え付けられている側の締め付け紐２の一部を抜け出させることにより、一層容易に保持装置Ｈによって一旦締め付けられて前記のように装着された長尺物Ｒを自由に利用できる状態に戻すことができる。
【００４６】
（コードロック４）
コードロック４は、雌部材４０と、雄部材４２と、付勢手段４４とを備えている。
【００４７】
雌部材４０は、筒状をなすように構成されている。この雌部材４０の対向する側部には、締め付け紐２の通し穴４１がそれぞれ貫通状態に設けられている。
【００４８】
雄部材４２は、かかる雌部材４０にこの雌部材４０の筒軸線に沿って移動可能な状態で一部を納めて組み合わされている。また、この雄部材４２には、この雄部材４２の移動方向に交叉する向きに、締め付け紐２の通し穴４３が貫通状態に設けられている。
【００４９】
付勢手段４４は、かかる雄部材４２を雌部材４０内から抜け出させる向きに付勢させるように構成されている。
【００５０】
雄部材４２の通し穴４３と雌部材４０の通し穴４１とは、この付勢手段４４の付勢に抗する向きに雄部材４２を雌部材４０内に押し込ませた状態において、両通し穴４１、４３に締め付け紐２を通せるように連通し合うようになっている。
【００５１】
図示の例にあっては、雌部材４０は有底の筒状をなすように構成され、雄部材４２は軸状をなすように構成されている。雄部材４２における雌部材４０内に入り込んだ軸端には、波形に屈曲された弾性帯体４５の一端が一体に接合されており、この弾性帯体４５はその他端を雌部材４０の底に常時押しつけさせた状態でその屈曲を強める向きに弾性変形させられている。すなわち、図示の例にあっては、この弾性帯体４５が前記付勢手段４４として機能するようになっている。かかる付勢手段４４としては、圧縮コイルバネなどの雄部材４２と別体の弾性体を用いることもできる。
【００５２】
コードロック４は、座体１の隆起部１０から前記のように引き出されている締め付け紐２の一方側、つまり、この側にある２本の締め付け紐２を、雄部材４２の通し穴４３と雌部材４０の通し穴４１とが連通し合う位置まで付勢手段４４の付勢に抗して雌部材４０内に雄部材４２を押し込ませた状態において、一緒に両通し穴４１、４３に通すことにより、この締め付け紐２に備え付けられる。図示の例では、座体１の通し抜け穴１４に締め付け紐２を通した後、この締め付け紐２の両端部に端末カバー５を取り付ける前に、この締め付け紐２へのコードロック４の備え付けをなすようになっている。
【００５３】
このように締め付け紐２に備え付けられたコードロック４は、付勢手段４４の付勢によりこの締め付け紐２に留め付く。（図４）この付勢手段４４の付勢に抗して雄部材４２を雌部材４０内に押し込むとこの留め付けが解かれ、締め付け紐２に沿って所望の位置までコードロック４を移動させることができるようになる。（図３）
【図面の簡単な説明】
【００５４】
【図１】保持装置Ｈの斜視図
【図２】保持装置Ｈの斜視図
【図３】コードロック４の断面構成図
【図４】コードロック４の断面構成図
【図５】座体１の断面図
【図６】従来例を示した断面図
【符号の説明】
【００５５】
Ｈ  保持装置
Ｒ  長尺物
１  座体
１０  隆起部
１１  座面
１２  側部
１４  通し抜け穴
１５  板部
２  締め付け紐
３  維持部材
３０  通し部
４  コードロック
４０  雌部材
４１  通し穴
４２  雄部材
４３  通し穴
４４  付勢手段
【図１】
2005059925.tif 000003
【図２】
2005059925.tif 000004
【図３】
2005059925.tif 000005
【図４】
2005059925.tif 000006
【図５】
2005059925.tif 000007
【図６】
2005059925.tif 000008